(57)【要約】【課題】結露により生じる水分を効果的に外部へ排出することができる液体用組立式コンテナを提供すること。【解決手段】パレット６の上面に載置される底板８の上面周囲に沿って立設された角筒状の下金枠１０と、該下金枠１０に接続されて前記底板８の上部に収容空間１１を形成する複数の側壁板１２ａ〜１２ｄとを、有する液体用組立式コンテナ２であって、前記下金枠１０が、前記側壁板１２ａを下側から支持する支持部１０２と、該支持部１０２の前記収容空間１１側から起立し、前記側壁板１２ａを前記収容空間１１の内側から自立させて固定する固定用枠部１０４と、下部に設置された前記収容空間１１の内側から外部に通じる排水口１０６とを、有する液体用組立式コンテナ２。【選択図】  図１
2004189301.tif 000002
【特許請求の範囲】
【請求項１】
パレットの上面に載置される底板の上面周囲に沿って立設された角筒状の下金枠と、
該下金枠に接続されて前記底板の上部に収容空間を形成する複数の側壁板とを、有する液体用組立式コンテナであって、
前記下金枠が、
前記複数の側壁板の少なくとも一つを下側から支持する支持部と、
該支持部の前記収容空間側から起立し、前記側壁板を前記収容空間の内側から自立させて固定する固定用枠部と、
下部に設置された前記収容空間の内側から外部に通じる排水口とを、有する液体用組立式コンテナ。
【請求項２】
前記下金枠が、前記支持部の前記収容空間とは反対側から起立し、側壁板が外側へ膨らむのを防止する膨らみ防止部を有する請求項１に記載の液体用組立式コンテナ。
【請求項３】
パレットの上面に載置される底板の上部に収容空間を形成する複数の側壁板を有する液体用組立式コンテナであって、
前記側壁板の少なくとも一つが、
合板からなる芯材と、
該芯材の表面に被覆されたステンレス鋼板からなる表面材とで、構成されていることを特徴とする液体用組立式コンテナ。
【請求項４】
パレットの上面に載置される底板の上部に収容空間を形成する複数の側壁板と、該複数の側壁板の上端開口に着脱自在に装着された、前記収容空間を閉じるための上蓋とを、有する液体用組立式コンテナであって、
前記上蓋が、
合板からなる芯材と、
該芯材の表面に被覆されたステンレス鋼板からなる表面材とで構成されていることを特徴とする液体用組立式コンテナ。
【請求項５】
パレットの上面に載置される底板の上部に収容空間を形成する複数の側壁板と、
該複数の側壁板の上端開口に着脱自在に装着された、前記収容空間を閉じるための上蓋とを、有する液体用組立式コンテナであって、
前記上蓋が、
矩形状の上蓋本体と、該上蓋本体の四周辺部に一体的に形成された断面コの字状の隆起部とを有し、該上蓋本体と該隆起部とがステンレス鋼板により一体折り曲げ成形された表面材と、
該表面材を外側から補強する断面略コの字状の棒状補強材とで構成されていることを特徴とする液体用組立式コンテナ。
【請求項６】
パレットの上面に載置される底板の上部に収容空間を形成する複数の側壁板と、
該複数の側壁板の上端開口に着脱自在に装着された、前記収容空間を閉じるための上蓋とを、有する液体用組立式コンテナであって、
前記上蓋が、
該上蓋の周囲に沿って連続的に形成され、かつ前記複数の側壁板の上部が挿入される断面コの字状の側壁板上部挿入部と、
該側壁板上部挿入部に挿入された側壁板を固定するための止め金具とを、有する液体用組立式コンテナ。
【請求項７】
パレットの上面に載置される底板の上面周囲に沿って所定高さで立設された角筒状の下金枠と、
該下金枠に接続されて前記底板の上部に収容空間を形成する複数の側壁板とを、有する液体用組立式コンテナの前記下金枠であって、
前記複数の側壁板の少なくとも一つを下側から支持する支持部と、
該支持部の前記収容空間側から起立し、前記側壁板を前記収容空間の内側から自立させて固定する固定用枠部と、
下部に設置された前記収容空間の内側から外部に通じる排水口とを、有する液体用組立式コンテナの下金枠。
【請求項８】
パレットの上面に載置される底板の上部に収容空間を形成する複数の側壁板を有する液体用組立式コンテナの前記側壁板であって、
合板からなる芯材と、
該芯材の表面に被覆されたステンレス鋼板からなる表面材とで構成されていることを特徴とする液体用組立式コンテナの側壁板。
【請求項９】
パレットの上面に載置される底板の上部に収容空間を形成する複数の側壁板と、
該複数の側壁板の上端開口に着脱自在に装着された、前記収容空間を閉じるための上蓋とを、有する液体用組立式コンテナの前記上蓋であって、
合板からなる芯材と、
該芯材の表面に被覆されたステンレス鋼板からなる表面材とで構成されていることを特徴とする液体用組立式コンテナの上蓋。
【請求項１０】
パレットの上面に載置される底板の上部に収容空間を形成する複数の側壁板と、
該複数の側壁板の上端開口に着脱自在に装着された、前記収容空間を閉じるための上蓋とを、有する液体用組立式コンテナの前記上蓋であって、
矩形状の上蓋本体と、該上蓋本体の四周辺部に一体的に形成された断面コの字状の隆起部とを有し、該上蓋本体と該隆起部とがステンレス鋼板により一体折り曲げ成形された表面材と、
該表面材を外側から補強する断面略コの字状の棒状補強材とで構成されていることを特徴とする液体用組立式コンテナの上蓋。
【請求項１１】
パレットの上面に載置される底板の上部に収容空間を形成する複数の側壁板と、
該複数の側壁板の上端開口に着脱自在に装着された、前記収容空間を閉じるための上蓋とを、有する液体用組立式コンテナの前記上蓋であって、
周囲に沿って連続的に形成され、かつ前記複数の側壁板の上部が挿入される断面コの字状の側壁板上部挿入部と、
該側壁板上部挿入部に挿入された側壁板を固定するための止め金具とを、有する液体用組立式コンテナの上蓋。
【発明の詳細な説明】
【０００１】
【発明の属する技術分野】
本発明は、たとえば、液状食品（香料、牛乳、果汁、果汁加工品、アロエ、酒、清涼飲料水など）または医薬用液体製品（液状の薬品など）を充填した大形袋（ガゼット）などの収納、輸送に適した液体用組立式コンテナと、該コンテナの製造に適した下金枠、側壁板および上蓋とに、関する。
【０００２】
【従来の技術】
液体を収納し、輸送するための容器としては、液体を充填するための袋と、該袋を収納するための組立式コンテナとからなるバッグインコンテナが知られている（たとえば特許文献１参照）。
【０００３】
金属製の組立式コンテナをバッグインコンテナに用いる場合において、収納される液体の圧力に耐えられるようにするために、角パイプなどの補強部材を組み合わせて使用することが多い。このため、最終的に使用される部材点数が多くなり、その結果、コンテナ製造時の加工工程数が増加していた。また、補強部材の形状によってはコンテナの外径寸法に対し、収納できる容積が大幅に減少することがあった。
【０００４】
これに対し、木製の組立式コンテナをバッグインコンテナに用いる場合には、合板などの比較的高い強度が得られる木材を使用することで、収納できる容積を多く確保することができる利点がある。しかしながら、木製のコンテナを構成するコンテナ部材（たとえば側壁板や上蓋など）として、合板製の芯材に、表面を保護するための樹脂シートが被覆された材料を使用した場合、水分や酸素などが外部からコンテナ内部へ透過侵入してくることがあり、収納している液体に対して悪影響を及ぼすことがあった。
【０００５】
ところで、組立式コンテナにおいては、コンテナの密閉性を高めるとともに、座屈を防止するために、底板の上部に収容空間を形成する複数の側壁板を配置するに際して、前記底板と側壁板との間に下金枠を設置することが行われている（たとえば特許文献２参照）。しかしながら、この特許文献２に記載されている下金枠には、前記側壁板を、収容空間の外側から自立させて固定するような位置に固定用枠が設けられているため、前記収容空間内部に、温度が比較的高く、内容量５００〜１５００ｋｇのような大容量の液体をガゼットを介して充填した場合、コンテナ内部と外部との温度差によって、側壁板の内側に結露による水分が付着しても効果的に外部に排出することはできなかった。結露による水分がコンテナ内部に残存した場合、収納している液体に対して悪影響を及ぼすおそれがあった。
【０００６】
さらに、前述したバッグインコンテナ用、すなわち液体用組立式コンテナについては、底板の上部に収容空間を形成する複数の側壁板と、前記収容空間を閉じる上蓋との間で、輸送時の振動などによって上蓋が外れずに、密着性を高めておくことも望まれていた。
【０００７】
【特許文献１】特開平１１−１５２１８４号公報
【特許文献２】特開２０００−１５９２２７号公報
【０００８】
【発明が解決しようとする課題】
本発明の第１の目的は、結露により生じる水分を効果的に外部へ排出することができる液体用組立式コンテナを提供することである。本発明の第２の目的は、収納可能な容積を十分に確保しつつ、外部からの水分や酸素などの気体の透過侵入を効果的に遮断することができる液体用組立式コンテナを提供することである。本発明の第３の目的は、底板の上部に収容空間を形成する複数の側壁板と、前記収容空間を閉じる上蓋との間で、輸送時の振動などによって上蓋が外れることがなく、密着性が高められた液体用組立式コンテナを提供することである。
【０００９】
【課題を解決するための手段】
上記目的を達成するために、本発明の第１の観点によれば、パレットの上面に載置される底板の上面周囲に沿って立設された角筒状の下金枠と、
該下金枠に接続されて前記底板の上部に収容空間を形成する複数の側壁板とを、有する液体用組立式コンテナであって、
前記下金枠が、
前記複数の側壁板の少なくとも一つを下側から支持する支持部と、
該支持部の前記収容空間側から起立し、前記側壁板を前記収容空間の内側から自立させて固定する固定用枠部と、
下部に設置された前記収容空間の内側から外部に通じる排水口とを有することを特徴とする液体用組立式コンテナが提供される。
【００１０】
好ましくは、前記下金枠が、前記支持部の前記収容空間とは反対側から起立し、側壁板が外側へ膨らむのを防止する膨らみ防止部を有する。
【００１１】
本発明の第２の観点では、パレットの上面に載置される底板の上部に収容空間を形成する複数の側壁板を有する液体用組立式コンテナであって、
前記側壁板の少なくとも一つが、
合板からなる芯材と、
該芯材の表面に被覆されたステンレス鋼板からなる表面材とで構成されていることを特徴とする液体用組立式コンテナが提供される。
【００１２】
本発明の第３の観点では、パレットの上面に載置される底板の上部に収容空間を形成する複数の側壁板と、
該複数の側壁板の上端開口に着脱自在に装着された、前記収容空間を閉じるための上蓋とを、有する液体用組立式コンテナであって、
前記上蓋が、
合板からなる芯材と、
該芯材の表面に被覆されたステンレス鋼板からなる表面材とで構成されていることを特徴とする液体用組立式コンテナが提供される。
【００１３】
本発明の第４の観点では、パレットの上面に載置される底板の上部に収容空間を形成する複数の側壁板と、
該複数の側壁板の上端開口に着脱自在に装着された、前記収容空間を閉じるための上蓋とを、有する液体用組立式コンテナであって、
前記上蓋が、
矩形状の上蓋本体と、該上蓋本体の四周辺部に一体的に形成された断面コの字状の隆起部とを有し、該上蓋本体と該隆起部とがステンレス鋼板により一体折り曲げ成形された表面材と、
該表面材を外側から補強する断面略コの字状の棒状補強材とで構成されていることを特徴とする液体用組立式コンテナが提供される。
【００１４】
本発明の第５の観点では、パレットの上面に載置される底板の上部に収容空間を形成する複数の側壁板と、
該複数の側壁板の上端開口に着脱自在に装着された、前記収容空間を閉じるための上蓋とを、有する液体用組立式コンテナであって、
前記上蓋が、
該上蓋の周囲に沿って連続的に形成され、かつ前記複数の側壁板の上部が挿入される断面コの字状の側壁板上部挿入部と、
該側壁板上部挿入部に挿入された側壁板を固定するための止め金具とを、有する液体用組立式コンテナが提供される。
【００１５】
本発明によれば、パレットの上面に載置される底板の上面周囲に沿って所定高さで立設された角筒状の下金枠と、
該下金枠に接続されて前記底板の上部に収容空間を形成する複数の側壁板とを、有する液体用組立式コンテナの前記下金枠であって、
前記複数の側壁板の少なくとも一つを下側から支持する支持部と、
該支持部の前記収容空間側から起立し、前記側壁板を前記収容空間の内側から自立させて固定する固定用枠部と、
下部に設置された前記収容空間の内側から外部に通じる排水口とを、有する液体用組立式コンテナの下金枠が提供される。
【００１６】
本発明によれば、パレットの上面に載置される底板の上部に収容空間を形成する複数の側壁板を有する液体用組立式コンテナの前記側壁板であって、
合板からなる芯材と、
該芯材の表面に被覆されたステンレス鋼板からなる表面材とで構成されていることを特徴とする液体用組立式コンテナの側壁板が提供される。
【００１７】
本発明によれば、パレットの上面に載置される底板の上部に収容空間を形成する複数の側壁板と、
該複数の側壁板の上端開口に着脱自在に装着された、前記収容空間を閉じるための上蓋とを、有する液体用組立式コンテナの前記上蓋であって、
合板からなる芯材と、
該芯材の表面に被覆されたステンレス鋼板からなる表面材とで構成されていることを特徴とする液体用組立式コンテナの上蓋が提供される。
【００１８】
本発明によれば、パレットの上面に載置される底板の上部に収容空間を形成する複数の側壁板と、
該複数の側壁板の上端開口に着脱自在に装着された、前記収容空間を閉じるための上蓋とを、有する液体用組立式コンテナの前記上蓋であって、
矩形状の上蓋本体と、該上蓋本体の四周辺部に一体的に形成された断面コの字状の隆起部とを有し、該上蓋本体と該隆起部とがステンレス鋼板により一体折り曲げ成形された表面材と、
該表面材を外側から補強する断面略コの字状の棒状補強材とで構成されていることを特徴とする液体用組立式コンテナの上蓋が提供される。
【００１９】
本発明によれば、パレットの上面に載置される底板の上部に収容空間を形成する複数の側壁板と、
該複数の側壁板の上端開口に着脱自在に装着された、前記収容空間を閉じるための上蓋とを、有する液体用組立式コンテナの前記上蓋であって、
周囲に沿って連続的に形成され、かつ前記複数の側壁板の上部が挿入される断面コの字状の側壁板上部挿入部と、
該側壁板上部挿入部に挿入された側壁板を固定するための止め金具とを、有する液体用組立式コンテナの上蓋が提供される。
【００２０】
【発明の作用および効果】
従来の下金枠には、側壁板を、収容空間の外側（図３では右側に相当する）から自立させて固定する固定用枠部が設けられていた。確かに、この位置に設けられた固定用枠部によっても側壁板を自立、固定させることは可能である。
しかしながら、このような位置に固定用枠部が設けられていると、側壁板の収容空間側（内側）に発生した結露による水分は、該側壁板の内側を伝わって収容空間の下部に集められてしまう。通常、側壁板と固定用枠部とは、接着剤やボルトなどで密着、固定されてはおらず、単に側壁板が固定用枠部の上に載せられているだけである。したがって、側壁板と固定用枠部との間には、水分が通過する程度の隙間が空いていることが多いが、上記従来の構成では、収容空間内部で発生した結露による水分を外部（側壁板の外側）へ効果的に排出することはできなかった。
【００２１】
これに対し、前記第１の観点の発明では、下金枠において、側壁板を下側から支持する支持部の前記収容空間側から起立した固定用枠部を設け、該固定用枠部により側壁板を前記収容空間の内側（図３では左側に相当する）から自立させて固定するようにしている。このため、側壁板の収容空間側（内側）に発生した結露による水分が、該側壁板の内側を伝わって、該側壁板と下金枠との接続点に達すると、該側壁板と下金枠との間の僅かな隙間を通り、外部（側壁板の外側）へ排出される。また、第１の観点の発明では、下金枠の下部には、前記収容空間の内側から外部に通じる排水口が設置されている。このため、下金枠の収容空間側（内側）に発生した結露による水分が、該下金枠の収容空間側を伝わり、下部に設置された排水口を通じて外部へ排出される。すなわち、側壁板の収容空間側に発生した結露による水分を、効果的に外部へ排出することができる。
【００２２】
また、前記下金枠が、前記支持部の前記収容空間とは反対側から起立する膨らみ防止部を有することにより、コンテナ内部に収納された収容物が、外部との圧力差により膨張した場合でも、側壁板が支持部から脱落することを効果的に防止することができる。
【００２３】
前記第２の観点の発明では、底板の上部に収容空間を形成する複数の側壁板の少なくとも一つを、合板からなる芯材と、該芯材の表面に被覆されたステンレス鋼板からなる表面材とで構成し、前記第３〜４の観点の各発明では、前記複数の側壁板の上端開口に着脱自在に装着された前記収容空間を閉じるための上蓋を、合板からなる芯材と、該芯材の表面に被覆されたステンレス鋼板からなる表面材とで構成し、もしくは、矩形状の上蓋本体と、該上蓋本体の四周辺部に一体的に形成された断面コの字状の隆起部とを有し、該上蓋本体と該隆起部とがステンレス鋼板により一体折り曲げ成形された表面材と、該表面材を外側から補強する断面略コの字状の棒状補強材とで構成したので、コンテナの収納可能な容積を十分に確保しつつ、外部からの水分や酸素などの気体の透過侵入を効果的に遮断することができる。
【００２４】
前記第５の観点の発明では、前記上蓋に、該上蓋の周囲に沿って連続的に形成され、かつ前記複数の側壁板の上部が挿入される断面コの字状の側壁板上部挿入部と、該側壁板上部挿入部に挿入された側壁板を固定するための止め金具とを、有することとしたので、複数の側壁板と上蓋との間で、輸送時の振動などによって上蓋が外れることがなく、側壁板と上蓋との密着性が高められる。
【００２５】
【発明の実施の形態】
以下、本発明を、図面に示す実施形態に基づき説明する。ここにおいて、
図１は本実施形態に係る液体用組立式コンテナの分解斜視図、
図２は図１中のII−II線に沿う断面図、
図３は図２中のIII の拡大図であり、側壁板と下金枠の関係を示す概略断面図、
図４は側壁板の要部断面図、
図５（Ａ）〜（Ｃ）は上蓋に形成された止め金具の説明図、
図６は上蓋の他の実施形態に係る斜視図、
図７は図６のVII−VII線に沿う断面図である。
【００２６】
図１に示すように、本実施形態に係る液体用組立式コンテナ２は、フォークリフトなどのリフト手段の爪部が挿入可能な凹所４が形成してあるパレット６を有する。パレット６の上面には、底板８が載置されている。底板８は、たとえば厚さ１〜５ｍｍ程度のステンレス鋼板や、厚さ５〜１５ｍｍ程度の樹脂発泡材などにより構成される。底板８の上面周囲には、角筒状の下金枠１０が立設されている。
【００２７】
下金枠１０の上には、底板８の上部に収容空間１１を形成する４つの側壁が配置されている。４つの側壁は、対向する一対の側壁板１２ａ，１２ｃと、これら側壁板１２ａ，１２ｃを連結するように対向する一対の側壁板１２ｂ，１２ｄとで構成される。本実施形態では、側壁板１２ａ、１２ｃは、コンテナ内部の掃除や、ガゼット装着、脱着の作業性を高めるため、上下に二分割可能な構造を有することが好ましい。本実施形態では、これら側壁板１２ａ〜１２ｄは、折り畳み自在に組み立てられる。
【００２８】
下金枠１０の上で、側壁板１２ａ〜１２ｄにより囲まれた空間が、液状食品または医薬用液体製品を充填したガゼット（図示省略）などを収容する空間１１となる。そして、これら側壁板１２ａ〜１２ｄで囲まれた空間１１を閉じるために、側壁板１２ａ〜１２ｄの上端開口には、上蓋１４が着脱自在に装着される。なお、コンテナ２は、側壁板１２ａ〜１２ｄを固定するための固定支柱や、側壁板１２ａ〜１２ｄを補強するための補強支柱を有していてもよい。
【００２９】
下金枠１０は、たとえば鉄鋼板などの金属板で構成してある。本実施形態では下金枠１０の高さは、下金枠１０の内部に４つの側壁板１２ａ〜１２ｄが内側に重ねて折り畳まれる程度の高さとしてある。具体的には４００〜５００ｍｍ程度が好ましい。下金枠１０は、側壁板１２ａ〜１２ｄにより囲まれた空間内に収容されるガゼット（図示省略）から内容物を取り出すための内容物取り出し口１０７が形成されている。本実施形態では、この取り出し口１０７のサイズは、特殊なサイズのノズルにも対応できるよう可変可能にしてある。
【００３０】
図２および図３に示すように、本実施形態では、下金枠１０は、側壁板１２ａの下端部１２２ａを下側から支持する支持部１０２と、該支持部１０２の前記収容空間１１側から起立する固定用枠部１０４と、該支持部１０２の前記収容空間１１とは反対側から起立する膨らみ防止部１０５とを有し、固定用枠部１０４と膨らみ防止部１０５との間の空間に側壁板１２ａを保持することができるようになっている。固定用枠部１０４は、側壁板１２ａを、前記収容空間１１の内側（図３では左側）から自立させて固定するための部材である。側壁板１２ａの固定方法は、接着剤やボルトなどの締結手段を使用するのではなく、たとえば、ラッチ錠などにより行われる。膨らみ防止部１０５は、コンテナ内部に収納される収容物（液体を充填したガゼット）が、外部との圧力差により膨張した場合に、側壁板１２ａが支持部１０２から脱落することを防止するための部材である。また、図１に示すように、下金枠１０の下部には、収容空間１１の内側から外部に通じる排水口１０６が形成されており、これにより、側壁板を伝わってきた結露による水分とともに、下金枠１０自体に付着した水分をも外部へ排出することができるようになっている。
【００３１】
図１に示すように、本実施形態では、側壁板１２ａ〜１２ｄの上端近傍には、該側壁板１２ａ〜１２ｄの一方面から他方面へ通ずる貫通孔１２３ａ〜１２３ｄが、各側壁板１２ａ〜１２ｄ毎に１つ以上形成してある。これら貫通孔１２３ａ〜１２３ｄは、後述する止め金具１４４が抜き差しされるためのものである。
【００３２】
図４に示すように、本実施形態では、側壁板１２ａは、芯材１２４ａと、この芯材１２４ａの表面を被覆する表面材１２６ａとから構成されている。他の側壁板１２ｂ〜１２ｄについても同様である。
【００３３】
芯材１２４ａは合板で構成されている。合板を芯材１２４ａの構成材料とすることにより、側壁板１２ａの全体を金属製とする場合に比べ、コンテナ２の軽量化を図ることができる。合板は断熱性があるので、これを芯材１２４ａに使用することで、コンテナ２に断熱性を付与することができる。これによって、コンテナ２の収容空間１１内の温度変化を抑制でき、内壁や収容物への結露を抑制できる。芯材１２４ａの厚さとしては、側壁板１２ａ〜１２ｄの段積み可能枚数を確保するために、５〜１５ｍｍの厚みとすることが好ましい。
【００３４】
表面材１２６ａを構成する金属材料としては、特に限定されないが、ＳＵＳ３０４等のステンレス鋼板が好ましい。この材料は、入手しやすく、酸、アルカリに比較的強く、錆難いからである。表面材１２６ａとしてステンレス鋼板等の金属を使用すると、水分や、酸素などの気体の透過を防止することができる。また、材料の入手が容易な上に加工が容易であり、強度も十分に確保できる。さらに、金属なので吸湿性がなく、表面に黴が発生しにくいので、衛生的である。表面材１２６ａとしての金属材料は、コンテナ２の軽量化のためになるべく薄い方がよいが、側壁板１２ａ〜１２ｄの強度を確保するためには一定値以上の厚さが必要である。このため、表面材１２６ａの厚さは、０．０５〜１ｍｍの範囲が好ましい。
【００３５】
なお、側壁板１２ａの縁部外周には、本実施形態では金属製の枠体が装着してあり、側壁板１２ａを補強している。他の側壁板１２ｂ〜１２ｄについても同様である。
【００３６】
本実施形態では、前記側壁板１２ａ〜１２ｄと同様に、上蓋１４も、合板からなる芯材と、この芯材の表面を被覆するステンレス鋼板からなる表面材とで構成されている。
【００３７】
図５（Ａ）に示すように、本実施形態では、上蓋１４の周囲に沿って４つの側壁板１２ａ〜１２ｄの上部が挿入される側壁板上部挿入部１４２が連続して四周辺部に形成されている。この側壁板上部挿入部１４２は、断面コの字状に成形された金属で構成される。また、上蓋１４には、この側壁板上部挿入部１４２に挿入される側壁板１２ａ〜１２ｄの上部を固定するための止め金具１４４が装着されている。本実施形態では、この止め金具１４４は、４つの側壁板１２ａ〜１２ｄの上部が挿入された際に、該側壁板１２ａ〜１２ｄの上端近傍に形成された貫通孔１２３ａ〜１２３ｄに差し込むことにより、側壁板１２ａ〜１２ｄに対して上蓋１４を固定することができるようになっている（図５（Ｂ）〜（Ｃ）参照）。
【００３８】
図１に示すように、上蓋１４の一側端部には、側壁板との接続を補助するゴムバンド部１４５が設置してあり、このゴムバンド部１４５を、側壁板１２ｄの上部に形成されたゴムバンド受け部１２５ｄに引っかけることにより接続を補助することができるようになっている。
【００３９】
上蓋１４の四隅には、ズレ防止用の治具１４１（たとえばゴム板など）が設置してあってもよい。
【００４０】
なお、上蓋１４に代えて、図６および図７に示す別の態様の上蓋３０を使用してもよい。図６および図７に示すように、上蓋３０は、表面材３０４を有する。
表面材３０４は、矩形状の上蓋本体３０１と、該上蓋本体３０１の四周辺部に一体的に形成された断面コの字状の隆起部３０２（側壁板上部挿入部１４２に相当する）とで構成されている。上蓋本体３０１と隆起部３０２とは、ステンレス鋼板により一体折り曲げ成形されている。表面材３０４は、断面略コの字状の棒状補強材３０６により、該表面材３０４を外側から補強されている。
【００４１】
本実施形態に係る液体用組立式コンテナ２の組立方法の一例を説明する。まず、図１に示すように、パレット６の上面に底板８を載置する。次に、底板８の上面周囲に沿って角筒状の下金枠１０を立設する。次に、下金枠１０の上に、底板８の上部に収容空間１１を形成する４つの側壁板１２ａ〜１２ｄを配置する。具体的には、まず、対向する一対の側壁板１２ｂ，１２ｄを、下金枠１０の上に配置し、固定する。次に、これら側壁板１２ｂ，１２ｄを連結するように対向する一対の側壁板１２ａ，１２ｃを下側から、下金枠１０の支持部１０２で支持させるとともに、固定用枠部１０４により、一対の側壁板１２ａ，１２ｃを、収容空間１１の内側から自立させて固定し、４つの側壁を配置する。これにより、底板８と、下金枠１０、側壁板１２ａ〜１２ｄとで収容空間１１が形成される。次に、収容空間１１に、液状食品または医薬用液体製品を充填したガゼット（図示省略）などを収容した後、側壁板１２ａ〜１２ｄの上端開口に上蓋１４を装着する。このとき、図５（Ａ）〜（Ｃ）に示すように、４つの側壁板１２ａ〜１２ｄの上部を側壁板上部挿入部１４２に挿入させた後、止め金具１４４を、側壁板１２ａ〜１２ｄの上端近傍に形成された貫通孔１２３ａ〜１２３ｄに差し込むとともに、ゴムバンド部１４５を側壁板１２ｄに形成されたゴムバンド受け部１２５ｄに引っかけることにより、側壁板１２ａ〜１２ｄに対して上蓋１４を確実に固定することができる。
【００４２】
本実施形態に係るコンテナ２では、下金枠１０において、固定用枠部１０４を、側壁板１２ａの下端部１２２ａを下側から支持する支持部１０２の前記収容空間１１側から起立するようにしたので、側壁板１２ａの収容空間１１側に発生した結露による水分は、該側壁板１２ａの内側を伝わって、該側壁板１２ａと下金枠１０との接続点に達すると、該側壁板と下金枠との間の僅かな隙間Ａを通り、外部（側壁板１２ａの外側。図３では右側）へ排出される。また、下金枠１０の下部には、前記収容空間１１の内側から外部に通じる排水口１０６が設置されている。このため、下金枠１０の収容空間１１側に発生した結露による水分は、該下金枠１０の収容空間１１側を伝わり、下部に設置された排水口１０６を通じて外部へ排出される。このように、本実施形態によれば、側壁板１２ａの収容空間１１側に発生した結露による水分を、効果的に外部へ排出することができる。
【００４３】
また、本実施形態のコンテナ２によれば、側壁板１２ａ〜１２ｄとともに、上蓋１４をも、合板からなる芯材１２４ａと、該芯材の表面に被覆されたステンレス鋼板からなる表面材１２６ａとで構成したので、コンテナ２の収納可能な容積を十分に確保しつつ、外部からの水分や酸素などの気体の透過侵入を効果的に遮断することができる。また、上蓋１４に代えて上蓋３０を使用しても同様の効果が期待できる。
【００４４】
さらに、本実施形態のコンテナ２によれば、上蓋１４が、複数の側壁板１２ａ〜１２ｄの上部が挿入される断面コの字状の側壁板上部挿入部１４２と、該側壁板上部挿入部１４２に挿入された側壁板を固定するための止め金具１４４とを有するので、複数の側壁板と上蓋との間で、輸送時の振動などによって上蓋が外れることがなく、側壁板と上蓋との密着性が高められる。しかも本実施形態では、これに加えてゴムバンド部１４５が設けられているので、側壁板との接続が一層確実になる。
【００４５】
以上、本発明の実施形態について説明してきたが、本発明はこうした実施形態に何等限定されるものではなく、本発明の要旨を逸脱しない範囲内において種々なる態様で実施し得ることは勿論である。
【００４６】
たとえば、上述した実施形態では、下金枠１０の側壁板１２ａが接続される部分のみが、上記特定構造となっている場合を例示したが、これに限定する趣旨ではなく、側壁板１２ｂ〜１２ｄの１つ以上が接続される部分が特定構造となっていても良い。また、側壁板１２ａ〜１２ｄの少なくとも一つが、上記特定構造となっていれば良く、必ずしも全ての側壁板１２ａ〜１２ｄが上記特定構造となっていなくても良い。
【図面の簡単な説明】
【図１】図１は本実施形態に係る液体用組立式コンテナの分解斜視図である。
【図２】図２は図１中のII−II線に沿う断面図である。
【図３】図３は図２中のIII の拡大図であり、側壁板と下金枠の関係を示す概略断面図である。
【図４】図４は側壁板の要部断面図である。
【図５】図５（Ａ）〜（Ｃ）は上蓋に形成された止め金具の説明図である。
【図６】図６は上蓋の他の実施形態に係る斜視図である。
【図７】図７は図６のVII−VII線に沿う断面図である。
【符号の説明】
２…  コンテナ
４…  凹所
６…  パレット
８…  底板
１０…  下金枠
１０２…  支持部
１０４…  固定用枠部
１０５…  膨らみ防止部
１０６…  排水口
１０７…  内容物取り出し口
１１…  収容空間
１２ａ〜１２ｄ…  側壁板
１２４ａ…  芯材
１２６ａ…  表面材
１２５ｄ…  ゴムバンド受け部
１４，３０…  上蓋
１４２…  側壁板上部挿入部
１４４…  止め金具
１４５…  ゴムバンド部
３０２…  隆起部
３０４…  表面材
３０６…  棒状補強材
【図１】
2004189301.tif 000003
【図２】
2004189301.tif 000004
【図３】
2004189301.tif 000005
【図４】
2004189301.tif 000006
【図５】
2004189301.tif 000007
【図６】
2004189301.tif 000008
【図７】
2004189301.tif 000009